(57)【特許請求の範囲】
【請求項１】
２枚の板状体の一側板面同志が同一面となるように板面の通りを調整する調整治具であって、
前記調整治具が、第１、第２、第３当接片と、第１〜第３当接片を接続する接続棒とからなり、一方の板状体の一側板面に当接される第１当接片の当接面と、他方の板状体の一側板面に当接される第２当接片の当接面とが、同一面上に間隔をおいて配置され、第２当接片の概ね対向する位置に第３当接片が配置され、第２当接片と第３当接片の間に他方の板状体を挟持可能な隙間が形成され、第１、第３、第２の順序で第１〜第３当接片が接続棒により接続されていることを特徴とする調整治具。
【請求項２】
２枚の板上対が略同一面上に並べられ、一方の板状体の突き出ている一側板面に第１当接片を引っかけ、一方の板状体を他方の板状体の側に引き寄せ、第３、第２の順序で第３当接片と第２当接片を他方の板状体の両板面に引っかけ、２枚の板状体の一側板面同志が同一面となるように板面の通りを調整することを特徴とする請求項１記載の調整治具を使用した調整方法。
【発明の詳細な説明】
【０００１】
【発明の属する技術分野】
本発明は、２枚の板状体の板面の通りを調整する調整治具と、その調整方法に関する。
【０００２】
【従来の技術】
従来、ユニット建物を構成する建物ユニットの据付け時に、各建物ユニットの間隔を調整治具を用いて調整することが知られている（特開平４−２８１９６４号公報参照）。
【０００３】
【発明が解決しようとする課題】
しかしながら、上記公報記載の従来技術において、調整治具を各建物ユニットの壁体間に取り付けておき、壁同志を引き寄せて各建物ユニットの間隔を調整することができたが、隣接する建物ユニットの壁体面を一直線にして壁体の通りを調整することは難しかった。
【０００４】
本発明は、上記の問題点に着眼してなされたものであり、その目的とするところは、これらの問題点を解消し、壁体等の板状体の通りを調整する調整治具と、その調整方法を提供することである。
【０００５】
【課題を解決するための手段】
請求項１記載の本発明は、２枚の板状体の一側板面同志が同一面となるように板面の通りを調整する調整治具であって、
前記調整治具が、第１、第２、第３当接片と、第１〜第３当接片を接続する接続棒とからなり、一方の板状体の一側板面に当接される第１当接片の当接面と、他方の板状体の一側板面に当接される第２当接片の当接面とが、同一面上に間隔をおいて配置され、第２当接片の概ね対向する位置に第３当接片が配置され、第２当接片と第３当接片の間に他方の板状体を挟持可能な隙間が形成され、第１、第３、第２の順序で第１〜第３当接片が接続棒により接続されているものである。
【０００６】
請求項２記載の本発明は、請求項１記載の調整治具を使用した調整方法であって、２枚の板上対が略同一面上に並べられ、一方の板状体の突き出ている一側板面に第１当接片を引っかけ、一方の板状体を他方の板状体の側に引き寄せ、第３、第２の順序で第３当接片と第２当接片を他方の板状体の両板面に引っかけ、２枚の板状体の一側板面同志が同一面となるように板面の通りを調整するものである。
【０００７】
上記請求項１記載の本発明において、板状体は、構造物等に取り付けられているものであって、材質、形状等が特に限定されるものではないが、具体的な板状体の例として、ユニット建物を構成する建物ユニットの壁体を挙げることができる。
【０００８】
また、上記調整治具の当接片は、平坦な板片もしくは曲面を有する部材等いずれであってもよいが、当接片の表面は、傷防止のため、ゴム等の柔らかい材料で養生されているのがよい。
【０００９】
【作用】
請求項１記載の調整治具と、請求項２記載の調整方法によると、一方の板状体の突き出ている一側板面に第１当接片を引っかけ、一方の板状体を他方の板状体の側に引き寄せ、第３当接片と第２当接片を他方の板状体の両板面に引っかけ、２枚の板状体の一側板面同志が同一面となるように板面の通りを調整するものであるから、ワンタッチで板面の通りを調整できる。
また、調整治具を板状体にセットした後、手を放すことができるので、板状体同志を接続する接続作業等の次の作業を着手できる。
【００１０】
【発明の実施の形態】
以下に本発明の実施の形態を図面を参照して説明する。
図１〜図３は、本発明の一実施例であって、図１は調整治具の図であって、（イ）図は正面図、（ロ）図は平面図、図２は図１に示す調整治具の一部変形例であって、その正面図、図３は図１の調整治具の使用状態を示す図であって、（イ）図は調整前の板状体の平面図、（ロ）図は調整治具と合わせて示す調整途中の板状体の平面図、（ハ）図は調整治具と合わせて示す調整後の板状体の平面図である。
【００１１】
１は調整治具であって、図１に示すように、この調整治具１は、第１当接片２と、第２当接片３と、第３当接片４と、第１〜第３当接片２、３、４を接続する接続棒５と、この接続棒の端部に取り付けられたグリップ６とからなっている。
【００１２】
上記調整治具１は、図３（イ）図に示すように、２枚の板状体１０、２０の一側板面１１、２１同志が同一面となるように一側板面１１、２１の通りを調整するものである。建物ユニット連結前は、壁体同志が相互固定されていないので、一方の板状体１０の一側板面１１が他方の板状体２０の一側板面２１よりずれ、寸法Ｈだけ僅かに突き出て並べられている場合がある。
【００１３】
上記板状体１０、２０は、建物ユニット（不図示）の床面から立設された壁体（外壁面材と内壁面材とが向かい合わせに組み立てられたもの）であって、板状体１０は、隣接して据えつけられた建物ユニットの一方に立設されたものであり、板状体２０は、他方の建物ユニットに立設されたものである。
【００１４】
上記調整治具１において、一方の板状体１０の一側板面１１に当接される第１当接片２の当接面２１と、他方の板状体２０の一側板面２１に当接される第２当接片３の当接面３１とは、同一面上に間隔をおいて配置されている。
そして、第２当接片３の概ね対向する位置（第１当接片２側に偏った位置）に第３当接片４が配置され、第２当接片３と第３当接片４の間に他方の板状体２０を挟持可能な隙間Ｓが形成されている。
【００１５】
上記の第１〜第３当接片２、３、４は、第１、第３、第２の順序で接続棒５により接続され、各当接片２、３、４の当接面２１、３１、４１には、柔らかいゴムシートが張りつけられている。
【００１６】
尚、上記調整治具１の第２当接片３が、図２に示すように、調節ネジ３２付きとなし、隙間Ｓを可変にするものであってもよい。すると、第２当接片３と第３当接片４の間に他方の板状体２０を挟持するのが容易となる。
【００１７】
つぎに、上記調整治具１を使用した板状体１０、２０の調整方法を、図３を参照して説明する。
まず、一方の板状体１０の突き出ている一側板面１１に第１当接片２を引っかけ、一方の板状体１０の一側板面１１が他方の板状体２０の一側板面２１とが同一面となるように引き寄せる（図３（ロ）図参照）。
【００１８】
つぎに、第３当接片４を他方の板状体２０の一側板面２１と反対側の板面に引っかけると同時に、第２当接片３を他方の板状体２０の一側板面２１に引っかけ、調整治具１を２枚の板状体１０、２０間にセットし、ジョイントプレート７を両板状体１０、２０間に取り付ける（図３（ハ）図参照）。
【００１９】
（実施例の作用）
上記本実施例の調整治具１を使用した調整方法によると、一方の板状体１０の突き出ている一側板面１１に第１当接片２を引っかけ、第２当接片３と第３当接片４を他方の板状体２０に引っかけ、２枚の板状体１０、２０の一側板面１１、２１同志が同一面となるように板面の通りを調整するものであるから、ワンタッチで板面の通りを調整できる。
【００２０】
また、調整治具１を板状体１０、２０にセットした後、手を放すことができるので、板状体１０、２０同志をジョイントプレート７により接続する接続作業が容易となる。
【００２１】
また、本実施例の調整治具１は、固定前に同一面となっている２枚の板状体１０、２０を仮固定するのにも使用できる。
【００２２】
【発明の効果】
請求項１記載の調整治具と、請求項２記載の調整方法によると、ワンタッチで板面の通りを調整できるので、調整作業が容易となる。
また、調整治具を板状体にセットした後、手を放すことができるので、板状体同志を接続する接続作業が容易となる。
【００２３】
【図面の簡単な説明】
【図１】本発明の一実施例であって、調整治具の（イ）図は正面図、（ロ）図は平面図である。
【図２】図１に示す調整治具の一部変形例であって、その正面図である。
【図３】図１の調整治具の使用状態を示す図であって、（イ）図は調整前の板状体の平面図、（ロ）図は調整治具と合わせて示す調整途中の板状体の平面図、（ハ）図は調整治具と合わせて示す調整後の板状体の平面図である。
【符号の説明】
１              調整治具
２              第１当接片
３              第２当接片
４              第３当接片
５              接続棒
１０、２０      板状体
１１、２１      一側板面
Ｓ              隙間
Ｈ              ずれ寸法
【図１】
0003763928.tif 000002
【図２】
0003763928.tif 000003
【図３】
0003763928.tif 000004